(57)【要約】【課題】自然界に起因する波の上下動、うねりなどの波動により、浮体構造物の上下動交互の傾き動を利用して発電等の動力源を確保する。【解決手段】波の波動によって浮体構造体が上下動及び左右前後に傾くことによりポンプシステムを駆動させ海水を汲み上げ海水を貯水し貯めた海水を利用して発電機を運転させる事により、格段に効率の良い発電をさせる。【選択図】図１
2005009469.tif 000002
【特許請求の範囲】
【請求項１】
自然界に起因する海面の波動を受けて上下動する浮体構造部と、海面の波動を受けて左右の傾き運動をする浮体構造部と、海面の波動を受け前後の傾き運動を発生させることの出来る浮対構造部において、
この上下動及び左右の傾き運動又、前後の傾き運動を利用して海水を汲み上げることの出来るポンプ装置からなる海水くみ上げポンプシスステムと、汲み上げた海水を利用して発電機を運転する装置からなる。
浮体構造部は互いに揺動自在に軸支され互いに上下動並びに左右の傾き動前後の傾き動を発生させる。
３つの部位に分かれれた浮体構造部は、中央の浮体構造部にポンプシステムを組み込むことにより浮力の安定性をはかり、左右に置かれた浮体構造部の上下動を有効に受けれるものとする。中央の浮体構造部の上面甲板に固定された主レバー取り付け台に揺動自在に取り付けた主レバーの後端に中央浮体構造部に組み込んだポンプより揺動自在に取り付けたポンプレバーを駆動自在に連結し、又、主レバー前端に左右の浮体構造部上面甲板に揺動自在に取り付けた送りレバーとを駆動自在に連結する。
【請求項２】
左右の浮体構造部の上下動を中央浮体構造部に取り付けた主レバーに力がかかりテコの原理によりポンプに取り付けたポンプレバーに伝わりポンプを駆動させる。
又、中央浮体構造部に重量物を設置することによりより大きな左右の傾き動を発生させ発生した傾き動により左右の浮体構造部との高さ違いにより主レバーのてこの原理を利用してポンプを駆動させる海水ポンプシステム。
【請求項３】
海水ポンプシステムにより海水を汲み上げそれを利用して電力を発生させることを特徴とする海洋発電装置、又、すべてのシステムを浮体構造とすることにより自由に移動することのできる、そして、より効率のよい海域に移動ができ周辺の環境を破壊する事のない安全性の高い海洋発電装置。
【発明の詳細な説明】
【０００１】
【発明の属する技術分野】本発明は、自然界に起因する波の上下動によって発生する波の波動を利用して浮体構造体を駆動させ海水を汲み上げ発電や様々な動力源を確保する海洋発電装置に関する。
【０００２】
【従来の技術】従来、発電用の動力源としては、水力（ダム湖に流入する雨水使用）火力（石油  石炭  天然ガスなど化石燃料）原子力（ウラニュウム原子など放射性物質）などを利用して発電用の動力源を発生させていた、又、地熱を利用した地熱発電、風力を利用した風力発電など、ほかに波の上下動を利用したターミネーター型発電など広く知られている。
【０００３】
【発明が解決しようとする課題】しかし、地熱発電にせよ、発電量の割にはコスト面では莫大なものとなり、ターミネーター型発電については空気により発電機を駆動させる、空気を高圧に圧縮させるためには波の落差を大きく必要としている、そのため、駆動は間欠的であるため効率良い発電の期待は薄い。
【０００４】かかる従来の技術の問題点にかんがみ、本発明は、自然界に起因する、波の波動を十二分に活用する手段を検討し、その結果波の波動の上下動ならびに、波のうねりを最大限に利用して浮体構造物が左右に大きく傾き、また、上下に動くことに着目した、そして、この自然現象を活用することにより、海水汲み上げポンプシステムを効率よく連続駆動させることによって発電機を運転させることを発見した。
【０００５】
【課題を解決するための手段】そのため、本発明は、波の上下運動と波のうねりによる浮体構造物の左右の傾き運動、又、前後の上下運動をよりいっそう効率よく受けるために３つの部位に分けそれぞれを独自に又、相対的にポンプの駆動を効率よくする形状としている。波の山と谷においての落差が少ない場合においても構造の上で左右の傾き運動が発生し又、波のうねりにおいて、よりいっそう左右の傾き運動が大きいものとなる。
【０００６】波の山の部分に左右の構造物が乗り送りレバーを引き上げ主レバーに力がかかりポンプレバーに作用してポンプを押し下げ海水を貯水タンクにためその海水を使用して発電機を運転させる又、波のうねりによって発生した左右の傾き運動によって中央の浮体構造物が傾き左右の浮体構造物の片方の送りレバーを押し下げ又、もう片方の送りレバーを引き上げる事により絶えずポンプを駆動させることが可能となる。構造上簡素なつくりなので故障などの面又、メンテナンスなどに対しても非常に楽な形状となる。
【０００７】発電機を運転させる動力源を海水とするため気圧などの変化に対してほとんど影響を受けることがなく安定した発電機を運転させる動力源を確保することの出来る海水汲み上げポンプシステムである。
【０００８】中央浮体構造物にポンプを４つ設置し２つずつ左右の浮体構造物の連結させる片方の浮体構造物の前後にポンプを連結させることにより前後の上下動にも柔軟に発生した力を受けさせることが出来る。
【０００９】
【発明の実施の形態】海水汲み上げポンプシステムを３つの部位とし又、発電機並びに貯水槽を別の部位とする。海水汲み上げポンプシステムによって汲み上げられた海水を使用して発電機を運転させるものとする。
【００１０】波の上下動並びに波のうねりを利用して海水汲み上げポンプシステムを駆動させ一切化石燃料など使用せず自然界に起因する波の波動を利用して発電用動力源を確保するものである。
【００１１】
【実施例】以下、本発明の実施例を図面に基づき説明す。本発明において図１に示すように浮体構造部Ａ浮体構造部Ｂ浮体構造部Ｃとからなる、ＡＢＣは互いに自由に海面の波動を受け上下動ないし海面のゆがみを受け海水面の高さに合わせた動きとなる。
【００１２】浮体構造部ＡＢが波の波動を受け上下動したとき送りレバーを介して主レバーを動かしポンプレバーに伝わった時点でポンプを駆動させる。図１に示すように送りレバーと主レバーポンプレバーとは自在に連結され浮体構造物ＡＢの動作に自在に追随することの出来る形状となっている。
【００１３】浮体構造部Ｃが左右の傾き運動を発生させたとき図５に示すようにＣが右に傾いたときＢの浮力のより送りレバーが引き上げられ主レバーに力が発生してポンプレバーを引き下げポンプを駆動させる、又、Ａの自重によりＡ側の送りレバーが引き下げられポンプレバーを引き上げポンプを駆動させることが可能となる、この事により、左右の力の発生は、単発的な物では無く恒久的につずく。
【００１４】又、波のうねりによる波の上下動が前方より発生した場合、図７により初めに前方が沈み込み浮体構造物ＡＢの前方を沈み込ませる浮体構造物ＣはＡＢと比重ないし海面下の深度の違いにより傾き運動の発生の速度が違うこの事によりＣよりも早く沈み込んだＡＢの前部は送りレバーを引き下げ主レバーに伝わりポンプレバーを介してポンプを駆動させる。
【００１５】ポンプシステムにより海水を汲み上げ貯水槽にためそれを利用して発電機を運転させる、図５に示すようにポンプシステムを連結させ海水を汲み上げ貯水する、又、ポンプシステムについては、複数のシステムにて海水を汲み上げることの出来るようにするため、状況により発電量の増大、不意の故障などに対しても十分な対応がかのうである。発電された電力は海底ケーブルなどを利用して必要な場所までそうでんする。
【００１６】本海洋発電システムは海底に固定するのではなく簡素な係留措置をとっているのでより有効な場所にいどうすることもできる。
【００１７】
【発明の効果】本発明の浮体構造物は、波の進行方向に左右されず絶えず必要以上の波力を原動力とすることが可能であり、波のうねりなどを最大元に活用することの出来るものである。動力源などを自然界に起因する波動を利用することにより、化石燃料などを使用する事が無いため環境破壊などを引き起こす物質を排出することが無い、そして、動力源を確保するための費用を大幅に削減することの出来るシステムなので、売電にかんして大幅に安い単価にて販売することの出来るシステムである。すなわち、本発明の使用によりより大きなエネルギーを安価に確保することが証明できる。
【図面の簡単な説明】
【図１】本発明の浮体によるポンプシステムの断面図である。
【図２】本発明の浮体によるポンプシステムの平面図である。
【図３】本発明の浮体によるポンプシステムの正面図である。
【図４】本発明によるポンプシステムと貯水槽、発電機の取り合図である。
【図５】本発明によるポンプシステムの左右の傾き運動並びに上下動の作用図である。
【図６】図５の波の移動につれて作用の変化を示す作用図である。
【図７】本発明によるポンプシステムの前後の波の移動による作用図である。
【図８】図７の前後の波の移動につれて変化する浮体のさようずである。
【符号の説明】
１  送りレバー
２  主レバー
３  ポンプレバー
４  主レバー取り付け台
５  海水汲み上げポンプ
６  ポンプピン
７  シャフト
８  発電機
９  配電制御盤
１０  貯水槽
１１  貯水海水面
１２  海水送りパイプ
１３  ポンプ取り付け台
Ａ  浮体構造体
Ｂ  浮体構造体
Ｃ  浮体構造体ポンプシステム
Ｄ  海面
【図１】
2005009469.tif 000003
【図２】
2005009469.tif 000004
【図３】
2005009469.tif 000005
【図４】
2005009469.tif 000006
【図５】
2005009469.tif 000007
【図６】
2005009469.tif 000008
【図７】
2005009469.tif 000009
【図８】
2005009469.tif 000010